(57)【要約】【課題】壁面との間の隙間を少なくして、美観を向上させると共に、支持手段への負荷を少なくした壁掛けオーディオシステムを提供する。【解決手段】アンプＡ及び左右のスピーカーＳ１，Ｓ２の裏面には、壁面にねじ込まれた支持手段に被嵌される受け孔６，９を形成すると共に、アンプＡの出力端子３と左右のスピーカーＳ１，Ｓ２の入力端子７１，７２を接続する接続コード９ａ，９ｂを嵌め込むための溝部５ａ，５ｂ，５ｃを、アンプＡの出力端子３と、左右のスピーカーＳ１，Ｓ２の入力端子７１，７２を結ぶ方向に沿って、アンプＡと左右のスピーカーＳ１，Ｓ２の裏面側に貫通状に穿設形成する。【選択図】  図４
2004349983.tif 000002
【特許請求の範囲】
【請求項１】
アンプと左右のスピーカーを壁面に支持させる壁掛けオーディオシステムにおいて、
前記アンプ及び左右のスピーカーの裏面には、壁面にねじ込まれた支持手段に被嵌される受け孔を形成すると共に、
前記アンプの出力端子と前記左右のスピーカーの入力端子を接続する接続コードを嵌め込むための溝部を、前記アンプの出力端子と、前記左右のスピーカーの入力端子を結ぶ方向に沿って、前記アンプの裏面と左右のスピーカーの裏面にわたって連通するように形成したことを特徴とする壁掛けオーディオシステム。
【請求項２】
前記溝部には、前記接続コードの脱落防止用の係止手段を設けたことを特徴とする請求項１に記載の壁掛けオーディオシステム。
【発明の詳細な説明】
【０００１】
【発明の属する技術分野】
本発明は、接続コードを介して接続されるアンプと左右のスピーカーを含む壁掛けオーディオシステムに関する。
【０００２】
【従来の技術】
図７は、従来の壁掛けオーディオシステムの構成の一例を示す。図７（ａ）はスピーカー３１（片方のみ図示）とアンプ３２の背面図、図７（ｂ）はアンプ３２が壁３３に取り付けられた状態の側面図である。これらの図にて、アンプ３２の裏面下部には、出力端子３４が設けられ、その出力端子３４に接続コード３５が接続され、裏面上部には、アンプ３２を壁３３に支持させるための受け孔３６が設けられており、その受け孔３６が、壁面にねじ込み固定されている支持手段としてのネジ３７に係止され、アンプ３２が壁３３に対して吊持状態に支持されている。
【０００３】
図示のように、アンプ３２の出力端子３４に接続された２本の接続コード３５（図示は片方のみ）は、アンプ３２の裏面側を通り、左右両側のスピーカー３１の出力端子３８に接続され、左右のスピーカー３１の裏面に形成された受け孔３９を、壁面にねじ込み固定されているネジ（図示省略）に係止させることによって、アンプ３２と同様に、壁３３に対して吊持状態で支持させることができる。
【０００４】
なお、このような壁掛け式の吊持方式は、各種分野で用いられており、例えば、電話機の分野では、装置本体の壁面への配線作業を容易に行えるようにした壁掛け用コードレス電話機等に利用する壁掛け装置が提案されている（例えば、特許文献１参照）。
【０００５】
【特許文献１】
実開平４−１２１１４９号公報（図１，図２，段落「００１０」〜「００１２」）
【０００６】
【発明が解決しようとする課題】
しかしながら、上記従来例のような壁掛けオーディオシステムの取り付け方法では、裏面側に突出している出力端子３４や入力端子３８によって、スピーカー３１やアンプ３２の裏面と壁面との間に大きな隙間が生じるため、支持手段３７に作用する負荷も大きくなっていた。又、壁面との間の隙間が大きくなると、一体感に欠け美観が損なわれるという問題もあった。
【０００７】
本発明は、このような実情に鑑みてなされ、壁面との間の隙間を少なくして、美観を向上させると共に、支持手段への負荷を少なくした壁掛けオーディオシステムを提供することを目的とする。
【０００８】
【課題を解決するための手段】
本発明は、上述の課題を解決するための手段を以下のように構成している。
【０００９】
（１）アンプと左右のスピーカーを壁面に支持させる壁掛けオーディオシステムにおいて、
前記アンプ及び左右のスピーカーの裏面には、壁面にねじ込まれた支持手段に被嵌される受け孔を形成すると共に、前記アンプの出力端子と前記左右のスピーカーの入力端子を接続する接続コードを嵌め込むための溝部を、前記アンプの出力端子と、前記左右のスピーカーの入力端子を結ぶ方向に沿って、前記アンプと左右のスピーカーの裏面側に貫通状に穿設形成したことを特徴とする。
【００１０】
この構成においては、アンプ及び左右のスピーカーの裏面に形成した溝部に接続コードを嵌め込み、壁面にねじ込まれた支持手段に、アンプ及び左右のスピーカーの裏面に形成した受け孔を被嵌させれば、裏面と壁面との間に大きな隙間を発生させることなく、アンプと両スピーカーを壁面に吊持状態に支持させることができる。その溝を接続コードを充分に嵌め込めるだけの深さに形成することで、クリアランスをほとんどなくすことができる。
【００１１】
（２）前記アンプと左右のスピーカーの裏面側に貫通状に穿設形成される溝部には、前記接続コードの脱落防止用の係止手段を設けたことを特徴とする。
【００１２】
この構成においては、係止手段により、接続コードの脱落を防止できるため、アンプと左右のスピーカーの吊持状態がより一層安定化する。
【００１３】
【発明の実施の形態】
以下に、本発明の実施の形態に係る壁掛けオーディオシステムについて図面を参照しつつ詳細に説明する。
【００１４】
図１（ａ）〜（ｅ）はアンプＡを示す。図１（ｄ）は正面図、（ａ）は平面図、（ｃ），（ｅ）は左右の側面図、（ｂ）は端子カバーを開放した状態の側面図である。これらの図において、アンプＡの筺体の内部には、音楽再生装置１が収納されており、また、筺体の前面には、各種操作キーを備えた操作部２が設けられている。そして、筺体側部には、出力端子３が設けられ、かつ、その出力端子３を開閉自在に覆う端子カバー４が設けられている。そして、アンプＡの裏面下部に横方向に連通状に貫通するコード収納用の溝５ａが形成されている。
【００１５】
図２（ａ）〜（ｄ）は、左側のスピーカーＳ１を示す。図２（ａ）は平面図、（ｂ）は正面図、（ｃ）は側面図、（ｄ）は裏面図である。このスピーカーＳ１は、図２（ｂ）に示すように、筺体内部に、高音用、中音用、低音用の３つのスピーカー本体３１，３２，３３を備えている。そして、図２（ｄ）に示すように、スピーカーＳ１の裏面下部には、入力端子７１が設けられ、その左右両側には、横方向に貫通状に延びるコード収納用の溝５ｂが穿設形成されている。一方、裏面上部の両側には、スピーカーＳ１を壁面に吊持するための一対の受け孔９，９が形成されている。なお、図２では図示省略の右側のスピーカーＳ２は、左側のスピーカーＳ１と対称に形成されている（図３参照）。
【００１６】
図３は、アンプＡと左右のスピーカーＳ１，Ｓ２の配列状態を示す。すなわち、中央に配置されたアンプＡの両側に、左右のスピーカーＳ１，Ｓ２が、所定の間隔をおいて配置されている。このアンプＡと左右のスピーカーＳ１，Ｓ２は、壁面（図２では図示省略）に吊持状態に支持される。
【００１７】
図４は、アンプＡと左右のスピーカーＳ１，Ｓ２の裏面側の配列状態を示す。すなわち、中央に配置されたアンプＡと、左右のスピーカーＳ１，Ｓ２が、スピーカー接続コード９ａ，９ｂを介して接続されており、その接続コード９ａ，９ｂは、アンプＡと両スピーカーＳ１，Ｓ２の裏面に穿設形成されたコード収納用の溝５ａ，５ｂ，５ｃ内に一直線状に嵌め込み収納されている。
【００１８】
図示のように、アンプＡに形成された貫通状の溝５ａと、両スピーカーＳ１，Ｓ２に形成された貫通状の溝５ｂ，５ｃは、横一直線状に連なっている。従って、アンプＡの出力端子４と、スピーカーＳ１，Ｓ２の入力端子７１，７２との間に接続された接続コード９ａ，９ｂは横一直線状にとなって外部にはみ出すことなく溝５ａ，５ｂ，５ｃ内に収納されている。なお、アンプＡの裏面上部にも一対のアンプ支持用の受け孔６，６が形成されている。
【００１９】
図５は、アンプＡを壁１１に吊持状態に支持させた側断面図、および、平断面図である。図示のように、接続コード９ｂ（９ａ）は、貫通状に形成された溝５ａ内に外部にはみ出ることなく嵌め込まれているため、アンプＡの裏面は面一状となっている。従って、壁１１にねじ込まれた支持手段としてのネジ１０に対して、受け孔６を被嵌させると、アンプＡは壁面との間にほとんど隙間を発生することなく壁面に接した状態で吊持される。
【００２０】
また、図示は省略するが、左右のスピーカーＳ１，Ｓ２についても、アンプＡと同様に、接続コード９ｂ（９ａ）が外部にはみ出ることなく溝５ｂ，５ｃ内に嵌め込まれているため、それらの裏面は面一状となっており、壁１１にねじ込まれたネジ１０に受け孔９を被嵌させると、スピーカーＳ１，Ｓ２は、壁面との間にほとんど隙間を形成することなく安定な状態で吊持される。
【００２１】
図６は、溝５ａ（５ｂ）内に嵌め込んだ接続コード９ａ（９ｂ）が外部にはみ出したり、脱落したりしないようにするための係止手段として、溝５ａの上下両側にフック２１，２２を形成した例を示す。すなわち、そのフック２１，２２は、その裏面側が筺体の裏面と面一状に形成され、かつ、先端部が内側に折曲されて、内部に収納した接続コード９ａ（９ｂ）を係止状態に保持することができる。このようなフック２１，２２は、筺体の成型時に一体的に形成することができる。
【００２２】
【発明の効果】
以上の説明から明らかなように、本発明は、以下のような効果を奏する。
【００２３】
（１）アンプ及び左右のスピーカーの裏面に、接続コードを嵌め込むための溝を形成したので、その溝部に接続コードを嵌め込み、壁面にねじ込まれた支持手段に、アンプ及び左右のスピーカーの裏面に形成した受け孔を被嵌させれば、アンプ及び左右のスピーカーの裏面と壁面との間に大きな隙間を発生させることなく、そのアンプと両スピーカーを壁面に吊持状態に支持させることができる。その溝を接続コードを充分に嵌め込めるだけの深さに形成することで、隙間をほとんどなくすことができる。
【００２４】
（２）溝部に接続コードの脱落防止用の係止手段を設けたので、接続コードの脱落を防止できるため、アンプと左右のスピーカーの吊持状態がより一層安定化する。
【図面の簡単な説明】
【図１】本発明の実施形態に係る壁掛けオーディオシステムのアンプの説明図である。
【図２】同左側のスピーカーの説明図である。
【図３】同壁掛けオーディオシステムの配列状態の説明図である。
【図４】同壁掛けオーディオシステムの裏面側の配列状態の説明図である。
【図５】同アンプの壁掛け状態の説明図である。
【図６】同接続コードの脱落防止用の係止手段の説明図である。
【図７】従来の壁掛けオーディオシステムの説明図である。
【符号の説明】
Ａ−アンプ
Ｓ１，Ｓ２−スピーカー
５ａ，５ｂ，５ｃ−溝
６，９−受け孔
９ａ，９ｂ−接続コード
１０−支持手段
３−出力端子
７１，７２−入力端子
【図１】
2004349983.tif 000003
【図２】
2004349983.tif 000004
【図３】
2004349983.tif 000005
【図４】
2004349983.tif 000006
【図５】
2004349983.tif 000007
【図６】
2004349983.tif 000008
【図７】
2004349983.tif 000009